(57)【要約】  無線電力伝送システムは、無線で電力を提供する電力送信モジュール及び上記電力送信モジュールから無線で電力の伝達を受けて加熱される透明発熱体を含む。上記無線電力伝送システムは、消防用マスク、防毒面、またはヘルメット等のヘッドマウント装置に含まれる。【選択図】図１
2021513314.tif 000002
【特許請求の範囲】
【請求項１】
電力受信モジュール及び電力送信モジュールを含み、
前記電力受信モジュールは、
ベース部材；
前記ベース部材上に配置された湿度センサー；
前記ベース部材上に配置された複数の透明発熱体；
前記ベース部材上に配置され、前記複数の透明発熱体のうちの少なくとも一部の透明発熱体と電気的に接続する第１バスバー；
前記ベース部材上に前記第１バスバーから離隔して配置され、前記複数の透明発熱体のうちの少なくとも一部の透明発熱体と電気的に接続する第２バスバー；及び、
前記第１バスバー及び前記第２バスバーと電気的に接続する第１コイルパターンを含み、
前記電力送信モジュールは、
バッテリー；
前記バッテリー及び前記湿度センサーを制御できる制御回路；及び、
前記制御回路と電気的に接続し、前記バッテリーから供給された電力を前記第１コイルパターンに磁気誘導方式により伝達する第２コイルパターンを含む、無線電力伝送システム。
【請求項２】
前記複数の透明発熱体は、銀ナノワイヤ（ＡｇＮＷ）である請求項１に記載の無線電力伝送システム。
【請求項３】
前記ベース部材は、透明な部材である請求項２に記載の無線電力伝送システム。
【請求項４】
前記湿度センサーは、前記第１バスバーまたは前記第２バスバーに隣接して配置される請求項１に記載の無線電力伝送システム。
【請求項５】
前記第１バスバー及び前記第２バスバーの各々は、印刷電子方式により形成された印刷回路基板である請求項１に記載の無線電力伝送システム。
【請求項６】
前記第１コイルパターンは、前記第１バスバー及び前記第２バスバーから延長する印刷回路基板にパターニングされたものである請求項５に記載の無線電力伝送システム。
【請求項７】
前記第１バスバー及び前記第２バスバーは、前記ベース部材に導電性接着部材により接着する請求項１に記載の無線電力伝送システム。
【請求項８】
前記ベース部材に２つの凹状の溝が画定され、
前記第１バスバー及び前記第２バスバーは、前記２つの凹状の溝に各々配置される請求項１に記載の無線電力伝送システム。
【請求項９】
前記第１コイルパターンをカバーする第１絶縁部材；及び、
前記第２コイルパターンをカバーする第２絶縁部材をさらに含む請求項１に記載の無線電力伝送システム。
【請求項１０】
前記第１バスバーを密封する第１シーリング部材；及び、
前記第２バスバーを密封する第２シーリング部材をさらに含む請求項９に記載の無線電力伝送システム。
【請求項１１】
前記第１シーリング部材または前記第２シーリング部材は、前記複数の透明発熱体をカバーし、前記ベース部材の前面または背面に配置される請求項１０に記載の無線電力伝送システム。
【請求項１２】
前記バッテリーに無線で電力を伝達する無線充電モジュールをさらに含み、
前記バッテリーは前記無線で伝達された電力により充電される請求項１に記載の無線電力伝送システム。
【請求項１３】
前記湿度センサーは、所定の時間間隔で周辺の相対湿度を測定する請求項１に記載の無線電力伝送システム。
【請求項１４】
前記測定された周辺の相対湿度が、所定の湿度値未満である場合、前記電力送信モジュールは、前記電力受信モジュールに電力を伝達せず、前記測定された周辺の相対湿度が、前記所定の湿度値以上である場合、前記電力送信モジュールは、前記電力受信モジュールに電力を伝達する請求項１３に記載の無線電力伝送システム。
【請求項１５】
前記所定の湿度値は、５０％以上７０％以下である請求項１４に記載の無線電力伝送システム。
【請求項１６】
前記測定された周辺の相対湿度の増加する速度が、所定の速度値未満である場合、前記電力送信モジュールは前記電力受信モジュールに第１電力を伝達し、
前記測定された周辺の相対湿度の増加する速度が、前記所定の速度値以上である場合、前記電力送信モジュールは前記電力受信モジュールに前記第１電力よりも大きい値を有する第２電力を伝達する請求項１４に記載の無線電力伝送システム。
【請求項１７】
前記電力受信モジュールは、所定の時間間隔で周辺の温度を測定する温度センサーをさらに含み、
前記測定された周辺の温度が、所定の温度値以上である場合、前記測定された周辺の相対湿度が前記所定の湿度値以上である場合であっても電力送信モジュールは前記電力受信モジュールに電力を伝達しない請求項１４に記載の無線電力伝送システム。
【請求項１８】
使用者の頭を収容するフレーム部；及び、
前記使用者の目に対応する位置に配置され、前記使用者が外部を見ることができるようにする視認部を含み、
前記視認部は、
ベース部材；
前記ベース部材上に配置された湿度センサー；
前記ベース部材上に配置された複数の透明発熱体；
前記ベース部材上に配置され、前記複数の透明発熱体のうちの少なくとも一部の透明発熱体と電気的に接続する第１バスバー；
前記ベース部材上に前記第１バスバーから離隔して配置され、前記複数の透明発熱体のうちの少なくとも一部の透明発熱体と電気的に接続する第２バスバー；及び、
前記第１バスバー及び前記第２バスバーと電気的に接続する第１コイルパターンを含み、
前記フレーム部は、
バッテリー；
前記バッテリー及び前記湿度センサーを制御できる制御回路；及び、
前記制御回路と電気的に接続し、前記バッテリーから供給された電力を前記第１コイルパターンに磁気誘導方式により伝達する第２コイルパターンを含むヘッドマウント装置。
【請求項１９】
前記フレーム部は、
前記使用者の顔部分と向かい合う前面部；
前記使用者の後頭部の部分と向かい合う後面部；及び、
前記前面部と前記後面部とを連結し、前記使用者の頭部分と向かい合う上面部を含み、
前記バッテリーは、前記上面部に対応する位置に配置される請求項１８に記載のヘッドマウント装置。
【請求項２０】
前記バッテリーは、前記上面部に接触する外部の充電装置から無線で電力の伝達を受けて、充電される請求項１９に記載のヘッドマウント装置。
【発明の詳細な説明】
【技術分野】
【０００１】
本発明は、透明発熱体（ｔｒａｎｓｐａｒｅｎｔ  ｈｅａｔｉｎｇ  ｅｌｅｍｅｎｔ）を含む無線電力伝送システム及びヘッドマウント装置に関する。
【背景技術】
【０００２】
無線で、電気エネルギーを所望する機器に伝達する無線電力伝送技術（ｗｉｒｅｌｅｓｓ  ｐｏｗｅｒ  ｔｒａｎｓｍｉｓｓｉｏｎ  または  ｗｉｒｅｌｅｓｓ  ｅｎｅｒｇｙ  ｔｒａｎｓｆｅｒ）は、すでに１８００年代に電磁気誘導の原理を利用した電気モーターや変圧器が使われ始め、その後には、ラジオ波やレーザーのような電磁波を放射し、電気エネルギーを伝送する方法も試みられた。私たちがよく使用する電動歯ブラシや一部の無線カミソリも実際は電磁気誘導の原理で充電される。現在まで無線方式によるエネルギー伝達方式は、磁気誘導、磁気共振及び短波長無線周波数を利用した遠距離送信技術等がある。
【０００３】
一方、ヘルメット、防毒面、またはマスク等を使用する場合、使用者の呼吸、周辺の温度、または周辺の湿度等により前面に配置された透明な材質の視認部に湿気がこもって、使用者の視野を妨害する問題点が発生する。
【発明の概要】
【発明が解決しようとする課題】
【０００４】
本発明は、無線電力伝送技術を用いて使用者の視野の確保に役に立つ無線電力伝送システム及び、上記無線電力伝送システムを含むヘッドマウント装置を提供することを目的とする。
【課題を解決するための手段】
【０００５】
本発明の一実施例に係る無線電力伝送システムは、電力受信モジュール及び電力送信モジュールを含む。
【０００６】
上記電力受信モジュールは、ベース部材、上記ベース部材上に配置された湿度センサー、上記ベース部材上に配置された複数の透明発熱体、上記ベース部材上に配置され、上記複数の透明発熱体のうちの少なくとも一部の透明発熱体と電気的に接続する第１バスバー、上記ベース部材上に上記第１バスバーから離隔して配置され、上記複数の透明発熱体のうちの少なくとも一部の透明発熱体と電気的に接続する第２バスバー、及び、上記第１バスバー及び上記第２バスバーと電気的に接続する第１コイルパターンを含む。
【０００７】
上記電力送信モジュールは、バッテリー、上記バッテリー及び上記湿度センサーを制御できる制御回路、及び上記制御回路と電気的に接続し、上記バッテリーから供給された電力を上記第１コイルパターンに磁気誘導方式により伝達する第２コイルパターンを含む。
【０００８】
本発明の一実施例に係るヘッドマウント装置は、使用者の頭を収容するフレーム部、及び上記使用者の目に対応する位置に配置され、上記使用者が外部を見ることができるようになっている視認部を含む。
【０００９】
上記視認部は、ベース部材、上記ベース部材上に配置された湿度センサー、上記ベース部材上に配置された複数の透明発熱体、上記ベース部材上に配置され、上記複数の透明発熱体のうちの少なくとも一部の透明発熱体と電気的に接続する第１バスバー、上記ベース部材上に上記第１バスバーから離隔して配置され、上記複数の透明発熱体のうちの少なくとも一部の透明発熱体と電気的に接続する第２バスバー、及び、上記第１バスバー及び上記第２バスバーと電気的に接続する第１コイルパターンを含む。
【００１０】
上記フレーム部はバッテリー、上記バッテリー及び上記湿度センサーを制御できる制御回路、及び上記制御回路と電気的に接続し、上記バッテリーから供給された電力を上記第１コイルパターンに磁気誘導方式により伝達する第２コイルパターンを含む。
【発明の効果】
【００１１】
本発明の一実施例によれば、周辺の湿度を測定した結果に応じて、透明発熱体に無線で電力を提供することができる無線電力伝送システム、及び上記無線電力伝送システムを含むヘッドマウント装置を提供することができる。
【００１２】
これにより、上記無線電力伝送システム及び上記ヘッドマウント装置の一部分に湿気が発生することを防止することができ、若し湿気が発生しても迅速に発生された湿気を除去することができる。
【図面の簡単な説明】
【００１３】
【図１】本発明の一実施例に係る無線電力伝送システムを示した図である。
【図２】本発明の一実施例に係る無線電力伝送システムを示した図である。
【図３】本発明の一実施例に係るバッテリー及び無線充電モジュールを示した図である。
【図４ａ】図１のＩ−Ｉ’に沿って切断した断面を例示的に示した図である。
【図４ｂ】図１のＩ−Ｉ’に沿って切断した断面を例示的に示した図である。
【図４ｃ】図１のＩ−Ｉ’に沿って切断した断面を例示的に示した図である。
【図４ｄ】図１のＩ−Ｉ’に沿って切断した断面を例示的に示した図である。
【図５ａ】本発明の一実施例に係る無線電力伝送システムを示した図である。
【図５ｂ】図５ａのＩＩ−ＩＩ’に沿って切断した断面を例示的に示した図である。
【図６ａ】本発明の一実施例に係る無線電力伝送システムを示した図である。
【図６ｂ】図６ａのＩＩ−ＩＩ’に沿って切断した断面を例示的に示した図である。
【図７ａ】本発明の一実施例に係る無線電力伝送システムが動作する過程を表した順序図である。
【図７ｂ】本発明の一実施例に係る無線電力伝送システムが動作する過程を表した順序図である。
【図７ｃ】本発明の一実施例に係る無線電力伝送システムが動作する過程を表した順序図である。
【図８】図１に図示された無線電力伝送システムが適用されたヘッドマウント装置を例示的に示した図である。
【図９】図８に図示されたヘッドマウント装置が据置されていることを例示的に示した図である。
【発明を実施するための形態】
【００１４】
以下、図面に基づいて本発明の実施例を説明する。
【００１５】
図面において、構成要素の割合及び寸法は、技術的内容の効果的な説明のために誇張されたものである。「及び／または」は、連関された構成が定義することができる一つ以上の組み合わせをすべて含む。
【００１６】
「含む」等の用語は、明細書に記載の特徴、数字、段階、動作、構成要素、部品またはこれらを組み合わせたものが存在することを指定するためのものであって、一つまたはそれ以上の他の特徴や数字、段階、動作、構成要素、部品またはこれらを組み合わせたもの等の存在または付加可能性を予め排除するものではないことを理解しなければならない。
【００１７】
図１及び図２は、本発明の一実施例に係る無線電力伝送システムＷＰＴ、ＷＰＴ−１を図示したものである。
【００１８】
図１を参照すると、無線電力伝送システムＷＰＴは、電力受信モジュールＲＵ及び電力送信モジュールＴＵを含む。
【００１９】
電力受信モジュールＲＵは、ベース部材ＢＳ、複数の透明発熱体ＴＬ、第１バスバーＢＢ１、第２バスバーＢＢ２、第１コイルパターンＬ１、第１絶縁部材ＩＳＰ１、及びセンサーＳＳ１、ＳＳ２を含むことができる。
【００２０】
ベース部材ＢＳは、フレキシブルフィルム、ガラス、またはプラスチックを含むことができる。但し、ベース部材ＢＳが含む物質はこれに制限されず、複数の透明発熱体ＴＬ、第１バスバーＢＢ１、及び第２バスバーＢＢ２を配置できる物質であれば十分である。
【００２１】
ベース部材ＢＳは、透明な性質を有することができる。これにより、ベース部材ＢＳは、外部から入射される光を透過させることができる。
【００２２】
透明発熱体ＴＬは、ベース部材ＢＳ上に配置される。透明発熱体ＴＬは、銀ナノワイヤ（ＡｇＮＷ）、インジウム亜鉛酸化物（ＩＺＯ）、またはインジウムスズ酸化物（ＩＴＯ）であることができる。但し、これに制限されず、透明発熱体ＴＬは、通常的に用いられる透明発熱体材料または透明電極材料を含むことができる。
【００２３】
透明発熱体ＴＬのうち、少なくとも一部は、隣接した他の透明発熱体に電気的に接続される。
【００２４】
第１バスバーＢＢ１及び第２バスバーＢＢ２は、ベース部材ＢＳ上に配置される。第１バスバーＢＢ１及び第２バスバーＢＢ２の各々は、透明発熱体ＴＬのうちの少なくとも一部と電気的に接続する。
【００２５】
第２バスバーＢＢ２は、第１バスバーＢＢ１から離隔して配置される。第２バスバーＢＢ２は、透明発熱体ＴＬにより第１バスバーＢＢ１と電気的に接続することができる。
【００２６】
本発明の一実施例において、第１バスバーＢＢ１及び第２バスバーＢＢ２は、印刷回路基板であることができる。この場合、第１バスバーＢＢ１及び第２バスバーＢＢ２の一面に配置された導電パターンが透明発熱体ＴＬと電気的に接続することができる。
【００２７】
本発明の一実施例において、第１バスバーＢＢ１及び第２バスバーＢＢ２は、銀ナノペーストであることができる。
【００２８】
本発明の一実施例において、第１バスバーＢＢ１及び第２バスバーＢＢ２は、銅（Ｃｕ）を含む導電性物質であることができる。
【００２９】
但し、これに制限されず、第１バスバーＢＢ１及び第２バスバーＢＢ２は外部から提供される電力を透明発熱体ＴＬに伝達できる多様な物質を含むことができる。
【００３０】
第１コイルパターンＬ１は、第１バスバーＢＢ１及び第２バスバーＢＢ２と電気的に接続することができる。第１コイルパターンＬ１は、例えば、インダクターであることができる。第１コイルパターンＬ１は、外部から磁気誘導方式により提供される電力を受信することができる。
【００３１】
本発明の一実施例において、第１バスバーＢＢ１及び第２バスバーＢＢ２が各々印刷回路基板である場合、第１コイルパターンＬ１は、第１バスバーＢＢ１または第２バスバーＢＢ２から延長する印刷回路基板上に配置されることができる。第１コイルパターンＬ１が平面形態に印刷回路基板をパターニングして形成される場合、バスバーらＢＢ１、ＢＢ２と第１コイルパターンＬ１を一度に製作できるというメリットがある。
【００３２】
第１絶縁部材ＩＳＰ１は、第１コイルパターンＬ１をカバーし、第１コイルパターンＬ１を電力送信モジュールＴＵから絶縁させる。本発明の一実施例において、第１絶縁部材ＩＳＰ１は、レジン（ｒｅｓｉｎ）、シリコーン、またはポリマー系列であり得るが、これに制限されない。
【００３３】
センサーＳＳ１、ＳＳ２は、ベース部材ＢＳ上に配置されることができる。
【００３４】
湿度センサーＳＳ１は、周辺の湿度を測定する。湿度センサーＳＳ１は、ベース部材ＢＳに湿気が発生するかの可否または霧が発生するかの可否を判断するために配置される。
【００３５】
温度センサーＳＳ２は、周辺の温度を測定する。温度センサーＳＳ２は、透明発熱体ＴＬにより加熱される前にベース部材ＢＳの温度がどのくらいであるか、または透明発熱体ＴＬにより加熱された後にベース部材ＢＳの温度がどのくらいであるかを判断するために配置される。
【００３６】
湿度センサーＳＳ１及び温度センサーＳＳ２は、第１バスバーＢＢ１または第２バスバーＢＢ２に隣接して配置されることが好ましい。湿度センサーＳＳ１及び温度センサーＳＳ２は、透明発熱体ＴＬとは異なって、人の目によく視認される。よって、第１バスバーＢＢ１または第２バスバーＢＢ２に隣接して配置する場合、本発明の一実施例に係る無線電力伝送システムＷＰＴがヘッドマウンド装置等に適用されても使用者の目に湿度センサーＳＳ１及び温度センサーＳＳ２が視認されることを防止することができる。
【００３７】
電力送信モジュールＴＵは、バッテリーＢＴ、制御回路ＣＣ、第２コイルパターンＬ２、及び第２絶縁パターンＩＳＰ２を含むことができる。
【００３８】
バッテリーＢＴは、制御回路ＣＣ等に電力を提供することができる。
【００３９】
制御回路ＣＣは、バッテリーＢＴ及びセンサーＳＳ１、ＳＳ２と電気的に接続することができる。これにより、制御回路ＣＣは、バッテリーＢＴ及びセンサーＳＳ１、ＳＳ２を制御することができ、これらと電力をやり取りすることができる。
【００４０】
制御回路ＣＣは、センサーＳＳ１、ＳＳ２と有線または無線で信号を取り交わすことができる。
【００４１】
第２コイルパターンＬ２は、制御回路ＣＣと電気的に接続することができる。第２コイルパターンＬ２は、例えば、インダクターであることができる。第２コイルパターンＬ２は、バッテリーＢＴから供給された電力を第１コイルパターンＬ１に磁気誘導方式により伝達することができる。
【００４２】
第２絶縁部材ＩＳＰ２は、第２コイルパターンＬ２をカバーして、第２コイルパターンＬ２を第１コイルパターンＬ１から絶縁する。本発明の一実施例において、第２絶縁部材ＩＳＰ２は、レジン（ｒｅｓｉｎ）、シリコーン、またはポリマー系列であってもよいが、これに制限されない。
【００４３】
第１コイルパターンＬ１及び第２コイルパターンＬ２が、各々第１絶縁部材ＩＳＰ１及び第２絶縁部材ＩＳＰ２によりカバーされるため、第１コイルパターンＬ１と第２コイルパターンＬ２との間の距離が近くなっても、第１コイルパターンＬ１及び第２コイルパターンＬ２が互いにショートされない。よって、第１コイルパターンＬ１と第２コイルパターンＬ２との間の距離をより近くすることができ、これにより、第２コイルパターンＬ２から第１コイルパターンＬ１に電力を伝達する効率を向上することができる。
【００４４】
図２を参照すると、無線電力伝送システムＷＰＴ−１は、電力受信モジュールＲＵ−１及び電力送信モジュールＴＵ−１を含む。
【００４５】
図２に図示された無線電力伝送システムＷＰＴ−１においては、図１と異なって、湿度センサーＳＳ１が電力受信モジュールＲＵ−１ではなく、電力送信モジュールＴＵ−１に含まれる。
【００４６】
その他の構成要素についての説明は、図１に説明した内容と実質的に同一であるので省略する。
【００４７】
図３は、本発明の一実施例に係るバッテリーＢＴ及び無線充電モジュールＷＣＭを図示したものである。
【００４８】
電力送信モジュールＴＵ、ＴＵ−１（図１及び図２参照）に含まれたバッテリーＢＴは、無線充電モジュールＷＣＭから無線で電力が提供され充電されることができる。
【００４９】
例えば、バッテリーＢＴは、第３コイルパターンＬ３を含み、無線充電モジュールＷＣＭは第４コイルパターンＬ４を含むことができる。これにより、第３コイルパターンＬ３は、第４コイルパターンＬ４から磁気誘導方式により電力の供給を受けることができる。但し、これに制限されず、既存バッテリーを無線方式により充電するための様々な技術が適用されることができる。
【００５０】
図４ａ、図４ｂ、図４ｃ、及び図４ｄは、各々図１のＩ−Ｉ’に沿って切断した断面を例示的に図示したものである。
【００５１】
図４ａを参照すると、第１バスバーＢＢ１は、ベース部材ＢＳに直接的に実装され、透明発熱体ＴＬと電気的に接続されることができる。図示されていないが、第２バスバーＢＢ２も第１バスバーＢＢ１と同じ方式によりベース部材ＢＳ上に配置されることができる。
【００５２】
図４ｂを参照すると、第１バスバーＢＢ１は、ベース部材ＢＳ上に導電性接着部材ＡＤＨによりベース部材ＢＳに実装され、透明発熱体ＴＬに電気的に接続されることができる。図示されていないが、第２バスバーＢＢ２も第１バスバーＢＢ１と同じ方式によりベース部材ＢＳ上に配置されることができる。
【００５３】
このとき、導電性接着部材ＡＤＨは、異方性導電フィルムＡＣＦ、Ａｇ接着剤等のような銀（Ａｇ）を含む接着剤、またはその他の導電物質を含む接着剤であることができる。
【００５４】
図４ｃを参照すると、図４ｂに接着用導電ラインＭＬが追加されたものである。接着用導電ラインＭＬは、電気的信号を伝達することができる金属物質を含むことができる。
【００５５】
第１バスバーＢＢ１は、導電性接着部材ＡＤＨ及び接着用導電ラインＭＬにより透明発熱体ＴＬと電気的に接続することができる。図示されていないが、第２バスバーＢＢ２も第１バスバーＢＢ１と同じ方式によりベース部材ＢＳ上に配置されることができる。
【００５６】
図４ｄを参照すると、ベース部材ＢＳに凹状の溝ＨＭが画定される。第１バスバーＢＢ１は、溝ＨＭに対応して配置され、透明発熱体ＴＬと電気的に接続することができる。図示されていないが、第２バスバーＢＢ２も第１バスバーＢＢ１と同じ方式によりベース部材ＢＳ上に配置されることができる。
【００５７】
図５ａは、本発明の一実施例に係る無線電力伝送システムＷＰＴ−２を図示したものである。図５ｂは、図５ａのＩＩ−ＩＩ’に沿って切断した断面を例示的に図示したものである。
【００５８】
第１バスバーＢＢ１は、第１シーリング部材ＥＣ１によりカバーされ、第２バスバーＢＢ２は、第２シーリング部材ＥＣ２によりカバーされることができる。これにより、バスバーＢＢ１、ＢＢ２がシーリング部材ＥＣ１、ＥＣ２により密封されるため、バスバーＢＢ１、ＢＢ２が外部の湿気から保護されることができる。また、バスバーＢＢ１、ＢＢ２にスパークが発生することを防止することができる。
【００５９】
図６ａは、本発明の一実施例に係る無線電力伝送システムＷＰＴ−３を図示したものである。図６ｂは、図６ａのＩＩ−ＩＩ’に沿って切断した断面を例示的に図示したものである。
【００６０】
図６ａ及び図６ｂを参照すると、ベース部材ＢＳ、バスバーＢＢ１、ＢＢ２、及び透明発熱体ＴＬが、シーリング部材ＥＣにより全体的にカバーされ、密封されることができる。具体的に、シーリング部材ＥＣは、ベース部材ＢＳの前面及び／または後面に配置されることができる。
【００６１】
図７ａ、図７ｂ、及び図７ｃは、本発明の一実施例に係る無線電力伝送システムＷＰＴ、ＷＰＴ−１、ＷＰＴ−２、ＷＰＴ−３が動作する過程を示した順序図である。
【００６２】
図７ａを参照すると、湿度センサーＳＳ１は、周辺の相対湿度を所定の時間間隔で測定する（Ｓ１０）。上記所定の時間間隔は、例えば、１秒以上１０秒以下であることができる。
【００６３】
制御回路ＣＣは、湿度センサーＳＳ１により測定された相対湿度が、所定の湿度値以上であるのかを判断する（Ｓ２０）。上記所定の湿度値は、例えば、５０％以上７０％以下であることができる。
【００６４】
湿度センサーＳＳ１により測定された相対湿度が所定の湿度値以上である場合、電力送信モジュールＴＵは、電力受信モジュールＲＵに無線で電力を伝達する（Ｓ３０）。一方、湿度センサーＳＳ１により測定された相対湿度が所定の湿度値未満である場合、電力送信モジュールＴＵは、電力受信モジュールＲＵに無線で電力を伝達しない（Ｓ４０）。
【００６５】
湿度値が１００％になる前の５０％から７０％の間にあるとき、予め無線で電力を伝達して電力受信モジュールＲＵの透明発熱体ＴＬの温度を上昇させることにより、ベース部材ＢＳに湿気または霧が発生することを防止するか、または湿気や霧が発生しても迅速に除去することができる。これをプリヒーティング（ｐｒｅ−ｈｅａｔｉｎｇ）と定義することができる。
【００６６】
図７ｂを参照すると、図７ａに加え、その後の段階（Ｓ５０〜Ｓ８０）が追加された。
【００６７】
電力受信モジュールＲＵが、無線で電力の伝達を受けて、透明発熱体ＴＬの温度が上昇する場合、温度センサーＳＳ２は、このような温度変化を測定することができる（Ｓ５０）。
【００６８】
制御回路ＣＣは、温度センサーＳＳ２により測定された温度が、所定の温度値以上であるかを判断する（Ｓ６０）。本発明の一実施例において、上記所定の温度値は、常に固定された特定値であることができる。本発明の他の実施例において、上記所定の温度値は電力送信モジュールＴＵが電力受信モジュールＲＵに電力を伝達し始めるときの温度より約４°ないし１０°程度、より大きい値であることができる。
【００６９】
温度センサーＳＳ２により測定された温度が、所定の温度値以上である場合、電力送信モジュールＴＵは、電力受信モジュールＲＵに無線で電力を伝達することを中止する（Ｓ７０）。一方、温度センサーＳＳ２により測定された温度が所定の温度値未満である場合、電力送信モジュールＴＵは、電力受信モジュールＲＵに無線で電力を継続して伝達する（Ｓ８０）。
【００７０】
本発明の一実施例において、上記所定の温度値は４０°以下であることが好ましい。透明発熱体ＴＬの温度が４０°より大きくなる場合、これを用いる利用者が自分の体温より高い温度のため、不快感を感じたり、やけどをすることができるからである。
【００７１】
図７ｃを参照すると、図７ａに加え、その後の段階（Ｓ９０〜Ｓ１１０）が追加された。
【００７２】
相対湿度を湿度センサーＳＳ１により周期的に測定し、相対湿度の増加する速度が所定の速度値以上である場合、電力送信モジュールＴＵは、電力受信モジュールＲＵに第２電力を伝達することができる（Ｓ１００）。一方、相対湿度の増加する速度が、所定の速度値未満である場合、電力送信モジュールＴＵは、電力受信モジュールＲＵに第２電力よりも小さい値を有する第１電力を伝達することができる。
【００７３】
このように、相対湿度の変化速度に対応して伝達する電力の大きさを変更することで、周辺環境の変化に、より能動的に最適化できる無線電力伝送システムを提供することができる。
【００７４】
図８は、図１に図示された無線電力伝送システムＷＰＴが適用されたヘッドマウント装置ＨＭＤを例示的に図示したものである。
【００７５】
図９は、図８に図示されたヘッドマウント装置ＨＭＤが据置されていることを例示的に図示したものである。
【００７６】
図８を参照すると、ヘッドマウント装置ＨＭＤは、フレームＦＲＭ及び視認部ＶＰを含む。
【００７７】
フレームＦＲＭは、使用者の頭を収容して、使用者が頭にヘッドマウント装置ＨＭＤを固定することにする。
【００７８】
ヘッドマウント装置ＨＭＤを着用した使用者は、視認部ＶＰを通じて外部を見ることができる。センサー部ＳＳは、湿度センサーＳＳ１及び／または温度センサーＳＳ２を含み、視認部ＶＰの方に配置されることができる。
【００７９】
フレームＦＲＭは、使用者の顔部分と向かい合う前面部ＦＦ、使用者の後頭部部分と向かい合う後面部ＲＲ、及び使用者の頭の部分と向かい合う上面部ＨＨを含む。上面部ＨＨは、前面部ＦＦと後面部ＲＲを連結することができる。
【００８０】
視認部ＶＰは、図１に図示された無線電力伝送システムＷＰＴの電力受信モジュールＲＵを含むことができる。
【００８１】
本発明の一実施例において、視認部ＶＰは、ガラスまたは透明プラスチックの基板にフレキシブルな性質を有する電力受信モジュールＲＵを付着して具現することができる。
【００８２】
本発明の他の実施例において、視認部ＶＰは、リジッド（ｒｉｇｉｄ）な性質を有する電力受信モジュールＲＵが付着して具現されることができる。
【００８３】
フレームＦＲＭは、電力送信モジュールＴＵを含むことができる。図８には、電力送信モジュールＴＵが、フレームＦＲＭの上面部ＨＨに配置されることを図示したが、これに制限されない。電力送信モジュールＴＵが配置される位置は、必要によって変更することができる。
【００８４】
図９を参照すると、本発明の一実施例に係るヘッドマウント装置ＨＭＤを柱状の無線充電モジュールＷＣＭ−１に据置する場合、バッテリーＢＴは、無線充電モジュールＷＣＭ−１により無線で電力の供給を受けて、充電されることができる。
【００８５】
バッテリーＢＴは、ヘッドマウント装置ＨＭＤが無線充電モジュールＷＣＭ−１と接する上面部ＨＨに配置され、容易に無線で電力の供給を受けることができる。
【００８６】
無線充電モジュールＷＣＭ−１とヘッドマウント装置ＨＭＤ間の据置の形態に応じて、バッテリーＢＴが配置される位置は変更されることができる。
【００８７】
実施例を参照して説明したが、該当技術分野の熟練された当業者は、下記の特許請求範囲に記載された本発明の思想及び領域から逸脱しない範囲内で、本発明を多様に修正及び変更することができることを理解できよう。また、本発明に開示された実施例は、本発明の技術思想を限定するためのものではなく、下記の特許請求範囲及びそれと同等の範囲内にあるすべての技術思想は、本発明の権利範囲に含まれるものとして解釈されるべきである。
【産業上の利用可能性】
【００８８】
透明な物体の表面に形成される霧や露のため、光透過性が劣る問題点が多数発生している。よって、透明な物体の表面に形成された霧や露を除去する技術に関する本発明は、産業上利用可能性が高い。
【図１】
2021513314.tif 000003
【図２】
2021513314.tif 000004
【図３】
2021513314.tif 000005
【図４ａ】
2021513314.tif 000006
【図４ｂ】
2021513314.tif 000007
【図４ｃ】
2021513314.tif 000008
【図４ｄ】
2021513314.tif 000009
【図５ａ】
2021513314.tif 000010
【図５ｂ】
2021513314.tif 000011
【図６ａ】
2021513314.tif 000012
【図６ｂ】
2021513314.tif 000013
【図７ａ】
2021513314.tif 000014
【図７ｂ】
2021513314.tif 000015
【図７ｃ】
2021513314.tif 000016
【図８】
2021513314.tif 000017
【図９】
2021513314.tif 000018
【国際調査報告】
2021513314.tif 000019
2021513314.tif 000020
2021513314.tif 000021
2021513314.tif 000022